(57)【特許請求の範囲】
【請求項１】
バスラインを介して画像データをＤＭＡ転送する機能を備えた画像データ転送装置において、画像データを記憶するメモリと、前記メモリに記憶された画像データを、バスラインを介してＤＭＡ転送する複数のＤＭＡコントローラと、前記複数のＤＭＡコントローラからのバスラインの使用要求を調停する調停器と、前記メモリ及び前記複数のＤＭＡコントローラの動作を制御する制御手段と、を備え、
前記制御手段は、前記複数のＤＭＡコントローラの中の一つだけのＤＭＡコントローラに対して画像データを１ライン以上連続のＤＭＡ転送を行う場合、バースト単位のデータ量を１ライン分に相当するワード単位で、ＤＭＡ転送を行うと共に、
前記ＤＭＡコントローラは、前記調停器に調停を問い合わせることなしに、前記制御手段から直接指示するバスラインの使用許可信号の受信によってメモリに記憶された画像データをＤＭＡ転送することを特徴とする画像データ転送装置。
【請求項２】
請求項１に記載の画像データ転送装置において、前記各ＤＭＡコントローラは、画像データの転送途中でＤＭＡ転送を一旦終了した後、前記調停器からのバスラインの使用許可信号の受信、または、前記制御手段からのバスラインの使用許可信号の受信によって残りの転送データをＤＭＡ転送することを特徴とする画像データ転送装置。
【請求項３】
請求項１または２に記載の画像データ転送装置において、前記複数のＤＭＡコントローラは、イエロー、マゼンタ、シアンおよびブラックの画像データをＤＭＡ転送する４つのＤＭＡコントローラからなることを特徴とする画像データ転送装置。
【請求項４】
請求項３に記載の画像データ転送装置において、前記複数のＤＭＡコントローラの中の一つだけのＤＭＡコントローラの動作によってブラックのみの画像データをＤＭＡ転送することを特徴とする画像データ転送装置。
【請求項５】
請求項３に記載の画像データ転送装置において、前記複数のＤＭＡコントローラの中の一つだけのＤＭＡコントローラの動作によってイエロー、マゼンタまたはシアンの画像データの中から１色のみの画像データをＤＭＡ転送することを特徴とする画像データ転送装置。
【請求項６】
請求項１乃至５の何れか１項に記載の画像データ転送装置によって前記メモリに記憶された画像データをＤＭＡ転送させ、白黒、ユニカラーまたはフルカラー画像を形成させることを特徴とする画像形成装置。
【発明の詳細な説明】
【０００１】
【発明の属する技術分野】
本発明は、バスラインを介して画像データをＤＭＡ転送する機能を有する画像データ転送装置及び画像形成装置に関し、特に複数のＤＭＡコントローラを備えた画像データ転送装置及び画像形成装置に関するものである。
【０００２】
【従来の技術】
近年、画像データ転送装置及び画像形成装置において、カラー画像や高精細画像のデータ転送の要求が多くなってきている。そのような情報量の多い画像のデータ転送には、一般に高速データ転送に適したＤＭＡ転送が用いられる。特開平５−３３６３８５号公報では、少しでも高速な画像処理を可能とさせるために複数のＤＭＡコントローラを有する画像データ転送装置が提案されている。そこでは、各ＤＭＡコントローラからのバスライン使用要求における調停を行なうための調停器を備えていて、バスラインを介してデータをＤＭＡ転送する際、調停器の指示により効率よく転送が行なわれるように制御されている。
また、カラー画像形成装置には、１ライン分のデータよりずっと少ないデータ量のバースト単位で各色成分を順繰り転送するものもある。しかし、複数のＤＭＡコントローラを有する画像データ転送装置を使って、上記のようにバースト単位で各色成分を順繰り転送すると、バースト単位で転送されるデータとデータの間には必ず調停器による調停時間が必要となる。
【０００３】
【発明が解決しようとする課題】
しかし、複数のＤＭＡコントローラのバスライン使用要求の調停を行なう調停器を備えた画像データ転送装置及びそのような画像データ転送装置を含んだ画像形成装置では、１つだけのＤＭＡコントローラが独占してデータを送る場合にも、調停器により調停を行なって、バースト単位で転送されるため、転送効率が低下する問題がある。
そこで、本発明の課題は、前記問題を解決することにある。すなわち、本発明の目的は、画像データのＤＭＡ転送効率の向上を図ることができる画像データ転送装置及び画像形成装置を提供することにある。
【０００４】
【課題を解決するための手段】
上記課題を解決するために、請求項１に記載の発明は、バスラインを介して画像データをＤＭＡ転送する機能を備えた画像データ転送装置において、画像データを記憶するメモリと、前記メモリに記憶された画像データを、バスラインを介してＤＭＡ転送する複数のＤＭＡコントローラと、前記複数のＤＭＡコントローラからのバスラインの使用要求を調停する調停器と、前記メモリ及び前記複数のＤＭＡコントローラの動作を制御する制御手段と、を備え、前記制御手段は、前記複数のＤＭＡコントローラの中の一つだけのＤＭＡコントローラに対して画像データを１ライン以上連続のＤＭＡ転送を行う場合、バースト単位のデータ量を１ライン分に相当するワード単位で、ＤＭＡ転送を行うと共に、前記ＤＭＡコントローラは、前記調停器に調停を問い合わせることなしに、前記制御手段から直接指示するバスラインの使用許可信号の受信によってメモリに記憶された画像データをＤＭＡ転送することを特徴とする。
請求項２に記載の発明は、請求項１に記載の画像データ転送装置において、前記各ＤＭＡコントローラは、画像データの転送途中でＤＭＡ転送を一旦終了した後、前記調停器からのバスラインの使用許可信号の受信、または、前記制御手段からのバスラインの使用許可信号の受信によって残りの転送データをＤＭＡ転送することを特徴とする。
請求項３に記載の発明は、請求項１または２に記載の画像データ転送装置において、前記複数のＤＭＡコントローラは、イエロー、マゼンタ、シアンおよびブラックの画像データをＤＭＡ転送する４つのＤＭＡコントローラからなることを特徴とする。
【０００５】
請求項４に記載の発明は、請求項３に記載の画像データ転送装置において、前記複数のＤＭＡコントローラの中の一つだけのＤＭＡコントローラの動作によってブラックのみの画像データをＤＭＡ転送することを特徴とする。
請求項５に記載の発明は、請求項３に記載の画像データ転送装置において、前記複数のＤＭＡコントローラの中の一つだけのＤＭＡコントローラの動作によってイエロー、マゼンタまたはシアンの画像データの中から１色のみの画像データをＤＭＡ転送することを特徴とする。
請求項６に記載の発明は、請求項１乃至５の何れか１項に記載の画像データ転送装置によって前記メモリに記憶された画像データをＤＭＡ転送させ、白黒、ユニカラーまたはフルカラー画像を形成させる画像形成装置を特徴とする。
【０００６】
【発明の実施の形態】
次に、本発明の実施の形態を添付図面に基づいて詳細に説明する。図１は本発明の１つの実施の形態に係る画像データ転送装置を用いた画像形成装置としてのカラー複写機の主要部を示す概略構成図である。カラー複写機の構成及び機能動作は公知であるので、本発明に関する構成および動作を説明する。図１において、原稿Ｐ上に描かれている画像は、矢印方向に定速で移動する画像読取装置５により読み取られる。画像読取装置５は、蛍光灯あるいはタングステンランプ等の光源５ａ、等倍結像光学素子５ｂ、およびカラー等倍ＣＣＤ５ｃから構成されている。画像読取装置５は、光源５ａによって原稿Ｐを照射し、反射光を等倍結像光学素子５ｂによってカラー等倍ＣＣＤ５ｃに導き、原稿画像に応じたカラーデジタル電気信号として出力する。
画像読取装置５は、原稿上の画像を読み取ってブルー、グリーン、レッドの色に分解し、カラーデジタル電気信号として出力する。カラーデジタル電気信号は、一旦ＩＰＵ（イメージプロセッシングユニット）部２０の画像メモリ１に記憶される（図２参照）。図２に示すように、ＩＰＵ部２０は、画像メモリ１に記憶されたカラーデジタル電気信号に画像処理を施す画像処理部６と、複数のＤＭＡコントローラ２を備えた画像データ転送装置１０と、画像書込装置に渡すカラー画像データを一時的に蓄える出力バッファ部９等で構成されている。画像処理部６は、画像メモリ１に蓄えられたブルー、グリーン、レッドのカラーデジタル電気信号をもとにして色変換処理を行ない、ブラック、シアン、マゼンタおよびイエローのカラー画像データに変換して記憶する。また、出力バッファ部９および画像データ転送装置１０の詳細については、図２で述べる。
次に、ＩＰＵ部２０の画像処理部６によって色変換処理されたカラー画像データは、書き込み部４０の書き込み光学ユニット３０に伝達される。書き込み光学ユニット３０では、カラー画像データを光信号に変換し、原稿画像に対応した光書込みを行なう。図１に基づいて、これを詳しく説明する。ＩＰＵ部２０からのカラー画像データは、発光ダイオード等の電光変換素子３１に入力し、電光変換素子３１によってカラー画像データに応じた光信号に電光変換される。電光変換された光信号は、ポリゴンモター３２よって回転させられるポリゴンミラー３３によりライン位置が合わせられ、レンズ群３４によって第一ミラー３５に導かれ、さらに第二ミラー３６、第三ミラー３７で反射され、感光体ドラム等で構成される像担持体４１上の書き込み位置に導かれる。したがって、像担持体４１上の書き込み位置では、原稿画像に対応した静電潜像を形成する構成になっている。
【０００７】
次に、ブラックの画像を形成する場合について述べる。上記の像担持体４１上の表面は矢印の如く時計方向に定速回転し、その周りには現像器４２、転写器４３、像担持体クリーニングユニット４４、除電ランプ４５、帯電器４６、および転写搬送ベルト４７等が配置されている。ここで、像担持体４１上への静電潜像の形成から転写紙に原稿画像に対応した像が転写されるまでを簡単に述べる。除電ランプ４５により回転駆動される像担持体４１の表面を除電した後、帯電器４６によって像担持体４１の表面を一様に帯電する。その後、上述した書き込み光学ユニット３０による光信号によって原稿画像に対応した静電潜像を形成する。この静電潜像は、現像器４２によって所定のトナーを付着され、可視像化される。
一方、給紙トレイ５１に収納されている転写紙は、給紙コロ５２や一対の給紙搬送ローラ５３によって像担持体４１の方向に運ばれ、一対のレジストローラ５４で止められる。次に、転写紙は、一対のレジストローラ５４によって転写紙先端と像担持体４１上の画像先端とがタイミングを合わされられるように転写搬送ベルト４７に送られた後、転写器４３の作用によって転写紙上に像担持体４１上のトナー像が転写される。さらに、転写紙上に転写されたトナー像は、加熱ローラ５６ａと加圧ローラ５６ｂからなる定着部５６により熱定着され、排紙ローラ５６ｃにより図示しない排紙トレイに排出される。
ここでは、ブラックの画像の書込みユニットだけについて述べたが、マゼンタ、イエロー、シアンの画像の書込みユニットもそれぞれ所定のタイミング差を持って同様に動作する。また、像担持体４１に残留しているトナーは像担持体クリーニングユニット４４によって除去された後、除電ランプ４５により像担持体４１が除電される。また、転写搬送ベルト４７は除電器５７によって除電された後、転写搬送ベルト４７上に残留しているトナーが像担持体クリーニングユニット５５によって除去される。
【０００８】
また、図２は、図１のカラー複写機において画像データの流れを主体にした主要部のブロック図を示す。図２において、ＣＰＵ４ａ、ＲＯＭ４ｂ、およびＲＡＭ４ｃで構成される制御部４からの指令によって、画像読取装置５は原稿上の画像をブルー、グリーン、レッドの画像に色分解してカラーデジタル電気信号として出力する。カラーデジタル電気信号は、一旦画像メモリ１に蓄えられる。画像処理部６は、画像メモリ１に蓄えられたＢ、Ｇ、Ｒのカラーデジタル電気信号をもとにして色変換処理を行ない、ブラック、シアン、マゼンタおよびイエローの色別のカラー画像データに変換して再び画像メモリ１に記憶する。
印刷するカラー画像データの準備が整うと、制御部４はＤＭＡコントローラユニット（以下、ＤＭＡＣユニットという）２に画像メモリ１のカラー画像データを転送する指示を出す。この例では、ＤＭＡＣユニット２を制御し易いようにバスライン８とＤＭＡＣユニット２の間にバスインタフェース（以下、ＢＡＳＩ／Ｆという）７が設定されているが、複数のＤＭＡＣ２にアドレス番号を設定することによりＢＡＳＩ／Ｆ７を介しないでバスライン８にＤＭＡＣユニット２が直接に接続されてもよい。また、この例では、ＤＭＡＣユニット２は、図２に示すように４つのＤＭＡコントローラ（以下、ＤＭＡＣという）２ａ、２ｂ、２ｃ、２ｄで構成されている。ＤＭＡＣ２ａはブラックのカラー画像データをＤＭＡ転送し、ＤＭＡＣ２ｂはマゼンタのカラー画像データをＤＭＡ転送し、ＤＭＡＣ２ｃはイエローのカラー画像データをＤＭＡ転送し、かつ、ＤＭＡＣ２ｄはシアンのカラー画像データをＤＭＡ転送するようになっている。
さらに、ＤＭＡＣ２ａによってＤＭＡ転送されたブラックのカラー画像データの主走査１ライン目のカラー画像データは、たとえば、出力バッファ部９のラインバッファ９ｂに格納されるように、ＳＥＬ９ａによって切り換えられる。次に、主走査２ライン目のカラー画像データがＳＥＬ９ａによってラインバッファ９ｃに格納されるように切り換えられている間に、ＳＥＬ９ａに格納された主走査１ライン目のカラー画像データが画像書込装置３０のＢｋ書込ユニット３０ａに渡るようにＳＥＬ９ｄを切り換える。同様にして主走査３ライン目のカラー画像データをラインバッファ９ｂに格納されるようにしている間に、ラインバッファ９ｃに格納された主走査２ライン目のカラー画像データを画像書込装置３０のＢｋ書込ユニット３０ａに渡るように、ＳＥＬ９ａとＳＥＬ９ｄを交互に切り換える。また、Ｂｋ書込ユニット３０ａに渡ったカラー画像データは、次々と電光変換素子３１（図１参照）によって電光変換が行なわれ、カラー画像データに対応した画像が形成される。
【０００９】
次に、ＤＭＡＣユニット２のうちのＤＭＡＣ２ａを例にとってブラックのカラー画像データを転送するまでの動作タイミングについて述べる。ＤＭＡＣ２ａは制御部４より、画像メモリ１のどのアドレス位置からどれだけのデータ量を転送させるのかの転送指示を受け取る。図２および図５に示すように、ＤＭＡＣ２ａは調停器３にＤＭＡ転送によるバスライン使用要求信号ＸＲＥＱをＣＬＫ１の立ち下がりでトリガで出す。バスライン使用要求信号ＸＲＥＱを受信した調停器３は、他のＤＭＡＣ２ｂ、２ｃ、２ｄとの状況も判断して、最も早い場合１クロック後に、ＤＭＡＣ２ａにバスライン使用許可信号ＸＧＮＴをＣＬＫ２で与える。調停器３よりバスライン使用許可信号ＸＧＮＴを受信したＤＭＡＣ２ａは、最も早い場合１クロック後に、ＢＵＳＩ／Ｆ７にデータの要求信号ＩＲＥＱをＣＬＫ３で出す。さらに、ＤＭＡＣ２ａのデータの要求信号ＩＲＥＱを受信したＢＵＳＩ／Ｆ７は、最も早い場合１クロック後に、ＤＭＡＣ２ａに転送データの開始信号ＩＦＲＡＭＥをＣＬＫ４で出す。さらに、ＤＭＡＣ２ａは、転送データの開始信号ＩＦＲＡＭＥを受信した後、バスライン使用中を示す信号ＢＵＳＹをＣＬＫ５で出し、データ処理を行なうことになる。また、調停器３は、ＤＭＡＣ２ａの信号ＢＵＳＹを受信し、次のクロックＣＬＫ６によってバスライン使用許可信号ＸＧＮＴを初期の状態に戻す。したがって、バスライン使用要求信号ＸＲＥＱを出してからバスライン使用許可信号ＸＧＮＴを初期の状態に戻した後、データ送出などで有効に使用できるクロック（図５のＣＫ７に相当）までの最小調停時間ｔ１は、ＣＰＵ４ａに与えるクロックの最短６クロックに当たる時間となり、転送と転送の間に少なくともこの最小調停時間ｔ１を必要とする。
また、図３（Ａ）は、ＤＭＡＣ２ａ、ＤＭＡＣ２ｂ、ＤＭＡＣ２ｃ、およびＤＭＡＣ２ｄによってバースト単位にデータが交互にＤＭＡ転送されている状態を現している。図３（Ａ）において、ＤＭＡＣ２ａがバースト単位のＤＭＡ転送を終えると、調停器３による調停に必要な最小調停時間ｔ１後に、ＤＭＡＣ２ｂのバースト単位のＤＭＡ転送が始まる。このようにして、ＤＭＡＣ２ａ、ＤＭＡＣ２ｂ、ＤＭＡＣ２ｃ、ＤＭＡＣ２ｄ、ＤＭＡＣ２ａ、・・と次々とバースト単位のＤＭＡ転送が行なわれる様子を示してある。また、図３（Ｂ）は、図３（Ａ）におけるＤＭＡＣ２ａ、ＤＭＡＣ２ｂ、ＤＭＡＣ２ｃ、およびＤＭＡＣ２ｄのＤＭＡ転送によってバスライン８上のデータの転送状態を示したものである。すなわち、各バースト単位のデータとデータの間に最小調停時間ｔ１が挿入された形で、連続して続くことになる。
【００１０】
もし、ＤＭＡＣ２ａ、ＤＭＡＣ２ｂ、ＤＭＡＣ２ｃ、またはＤＭＡＣ２ｄの中で、たとえば、ＤＭＡＣ２ａだけでデータをＤＭＡ転送によって送る場合、各バースト単位のデータの間は調停器３による最小調停時間ｔ１が必要となるので、図４（Ａ）に示したようになる。これは、ＤＭＡＣ２ａだけで画像データを転送しても、各バースト単位のデータの間に最小調停時間ｔ１が必要となり、大きいロス時間が発生することが判る。したがって、ＤＭＡＣ２ａだけでデータを転送する場合、図４（Ｂ）に示したようにバースト単位の転送でなく、バースト単位のデータ量よりもっとデータ量の多い、たとえば主走査１ライン分に相当するワード単位でＤＭＡ転送を行なうことにする。図４（Ｂ）にこの様子を示してある。バースト単位でＤＭＡ転送すると図４（Ａ）のｔ２時間掛かったものがワード単位のＤＭＡ転送によりｔ３（ｔ２＞ｔ３）時間で終了することになる。
また、上記のバースト単位でＤＭＡ転送する場合とワード単位でＤＭＡ転送する場合を図２に戻って説明する。図１の各色の書込みユニットと図２の各色の画像データをＤＭＡ転送するＤＭＡＣ２ａ〜２ｄとの対応は、前述したようにブラックの画像データはＤＭＡＣ２ａによって転送され、マゼンタの画像データはＤＭＡＣ２ｂによって転送され、イエローの画像データはＤＭＡＣ２ｃによって転送され、かつ、シアンの画像データはＤＭＡＣ２ｄによって転送されることになっている。
したがって、画像メモリ１に書き込まれた画像データを複数のＤＭＡＣ２ａ〜２ｄによって画像書込装置３０に転送する時に、たとえば、白黒だけの画像データを主走査方向の１ライン以上に渡って続けて送る場合、または、シアン、マゼンタおよびイエローの中から１色の画像データを主走査方向の１ライン以上に渡って続けて送る場合を制御部４が判断すると、制御部４は複数のＤＭＡＣ２ａ〜２ｄの中から必要とする１つだけのＤＭＡＣを選択して、主走査方向の１ライン分に相当するワード単位でＤＭＡ転送を行なうように指示する。
【００１１】
また、その際、選択されたＤＭＡＣは、調停器３のバスライン使用許可信号ＸＧＮＴの発生に関係無く、制御部４からのＢＷ信号を受信することによってバスラインを使用できるようになっている。したがって、ＤＭＡＣはＢＷ信号を受け取ると、調停器３による調停を問い合わせることなしに制御部４から指示された画像データをＤＭＡ転送することになる。また、この場合には、制御部４によって２つ以上のＤＭＡＣに同時にＢＷ信号が出ないように制御している。
また、図６は、ＤＭＡＣユニット２によりデータを転送する際のデータ転送元に関する情報の入ったレジスタ類を示している。転送元アドレスレジスタ２１には、画像メモリ１に書き込まれた画像データを画像書込装置３０にＤＭＡ転送する際のスタートアドレスが格納されており、データ転送ごとに転送元アドレスレジスタ２１の値がインクリメントされる。したがって、転送元アドレスレジスタ２１は、常に次の転送すべきデータの格納先アドレスを指すようになっている。また、データカウントレジスタ２２には、転送すべきデータの有効バイト数が格納されており、データ転送ごとにデータカウントレジスタ２２の値がデクリメントされる。データカウントレジスタ２２の値のゼロをもって転送が一旦終了することになる。
したがって、データカウントレジスタ２２は、常に転送すべきデータの残りバイト数が設定されるようになっている。また、転送元アドレスレジスタ２１とデータカウントレジスタ２２の値は、制御部４からの命令によってＤＭＡ転送の始まる前に設定されるようになっている。また、ここでは１つだけのＤＭＡＣを取りあげて説明したが、ＤＭＡＣユニット２の複数のＤＭＡＣ２ａ〜２ｄは総て同じ構成になっており、ＤＭＡ転送が途中で一旦終了させられても、各ＤＭＡＣ２ａ〜２ｄは、調停器３からのバスラインの使用許可信号ＸＧＮＴ、または、制御部４からのバスラインの使用許可信号ＢＷを受信することによって、残りの転送データをＤＭＡ転送することが可能であるようになっている。
【００１２】
【発明の効果】
以上のように請求項１の発明によれば、制御手段が複数のＤＭＡコントローラの中の一つだけのＤＭＡコントローラに対して画像データを１ライン以上連続のＤＭＡ転送を行う場合、ＤＭＡコントローラは調停器に調停を問い合わせることなしに、制御手段から直接指示するバスラインの使用許可信号の受信によってメモリに記憶された画像データをＤＭＡ転送するようにしているので、調停器による調停時間を削減することができ、ＤＭＡ転送効率の向上を図ることができる画像データ転送装置を提供することができる。
請求項２の発明によれば、請求項１の画像データ転送装置の発明に加えて、転送すべきデータ量を各ＤＭＡコントローラに一度設定すれば、設定したデータ量は各ＤＭＡコントローラが最後まで転送してくれるので、ＤＭＡ転送における設定を容易にした画像データ転送装置を提供することができる。
請求項３の発明によれば、請求項１または２の画像データ転送装置の発明に加えて、カラー画像データのＤＭＡ転送、白黒画像データのＤＭＡ転送、またはカラーと白黒の混じった画像データのＤＭＡ転送において転送効率のよい画像データ転送装置を提供することができる。
請求項４の発明によれば、請求項３の画像データ転送装置の発明に加えて、白黒の画像部分に対して転送効率のよいＤＭＡ転送が可能な画像データ転送装置を提供することができる。
請求項５の発明によれば、請求項３の画像データ転送装置の発明に加えて、ＹまたはＭまたはＣ色のユニカラーの画像部分に対して転送効率のよいＤＭＡ転送が可能な画像データ転送装置を提供することができる。
請求項６の発明によれば、請求項１乃至５の何れか１項に構成された画像データ転送装置を用いて、白黒、ユニカラーまたはフルカラー画像を高速に形成させる画像形成装置を提供することができる。
【図面の簡単な説明】
【図１】本発明の１つの実施の形態に係る画像データ転送装置を用いたカラー複写機の主要部を示す概略構成図である。
【図２】本発明の１つの実施の形態に係る画像データ転送装置を用いたカラー複写機の主要部を示すブロック図である。
【図３】（Ａ）は図２の画像データ転送装置の複数のＤＭＡコントローラによりバースト単位にデータをＤＭＡ転送する様子を示した説明図である。（Ｂ）は図３（Ａ）のＤＭＡ転送におけるバスライン上のデータの転送状態を説明するための説明図である。
【図４】（Ａ）は図２の画像データ転送装置の１つのＤＭＡコントローラによりバースト単位にデータをＤＭＡ転送するようすを示した説明図である。（Ｂ）は図２の画像データ転送装置の１つのＤＭＡコントローラによりワード単位にデータをＤＭＡ転送する様子を示した説明図である。
【図５】図２の画像データ転送装置においてバスラインを使用してデータを転送するまでのＤＭＡコントローラの信号の対応を示した説明図である。
【図６】図２の画像データ転送装置においてＤＭＡコントローラによりＤＭＡ転送する際のデータ転送元に関する情報の入ったレジスタ類を示した説明図である。
【符号の説明】
１  画像メモリ（メモリ）、２  ＤＭＡコントローラユニット（ＤＭＡＣユニット）、２ａ〜２ｄ  ＤＭＡコントローラ（ＤＭＡＣ）、３  調停器、４  制御部（制御手段）、４ａ  ＣＰＵ、４ｂ  ＲＯＭ、４ｃ  ＲＡＭ、５  画像読取装置、６  画像処理部、７  ＢＵＳインタフェース、８  バスライン、９  出力バッファ部、１０  画像データ転送装置、３０  画像書込装置。
【図１】
0003938648.tif 000002
【図２】
0003938648.tif 000003
【図３】
0003938648.tif 000004
【図４】
0003938648.tif 000005
【図５】
0003938648.tif 000006
【図６】
0003938648.tif 000007